(57)【特許請求の範囲】
【請求項１】
一枚目の用紙と、前記一枚目の用紙より上下寸法及び左右寸法が小さい二枚目の用紙を、前記二枚目の用紙の左右方向の端縁のうちの一方の端縁と前記一枚目の用紙の左右方向の端縁のうちの一方の端縁を揃えて重ね合わせ非接着部を有するように接着される構成のチラシであって、
前記二枚目の用紙には、上下方向の両端縁、または左右方向の他方の端縁のいずれかに始点と終点を有する開いた形状の切り取り線が形成され、前記始点及び前記終点を有する端縁と前記切り取り線で囲まれた部分が切り取り可能領域とされており、
少なくとも前記切り取り可能領域及び前記切り取り線が前記非接着部に形成されている、
ことを特徴とするチラシ。
【請求項２】
一枚目の用紙と、前記一枚目の用紙より上下寸法及び左右寸法が小さい二枚目の用紙を、前記二枚目の用紙の左右方向の端縁のうちの一方の端縁と前記一枚目の用紙の左右方向の端縁のうちの一方の端縁を揃えて重ね合わせ非接着部を有するように接着される構成のチラシであって、
前記二枚目の用紙には、上下方向の両端縁、または左右方向の他方の端縁のいずれかに始点と終点を有する開いた形状の切り取り線が形成され、前記始点及び前記終点を有する端縁と前記切り取り線で囲まれた部分が切り取り可能領域とされており、
前記切り取り線は、前記始点から、前記始点及び前記終点を有する端縁と直交して前記始点及び前記終点を有する端縁と離間する向きに伸びる第１の切り込み線と、前記第１の切り込み線の終端から、前記始点及び前記終点を有する端縁と平行して前記一方の端縁に向かって伸びる第２の切り込み線と、前記第２の切り込み線の終端から前記終点まで伸びる第３の切り込み線を備えており、
さらに、前記二枚目の用紙には、前記始点及び前記終点との間の端縁の前記始点近傍の位置から、前記切り取り線の備える前記第２の切り込み線に向かって伸びる第４の切り込み線が形成されており、
少なくとも前記切り取り可能領域及び前記切り取り線が前記非接着部に形成されている、
ことを特徴とするチラシ。
【請求項３】
請求項１または請求項２に記載のチラシを積み重ねたものと帯封から構成されているチラシの帯封梱包物であって、前記二枚目の用紙の長手方向に帯が跨るように帯封を備えることを特徴とするチラシの帯封梱包物。
【発明の詳細な説明】
【技術分野】
【０００１】
本発明は、一枚目の用紙と、一枚目の用紙より上下寸法及び左右寸法が小さい二枚目の用紙と、からなり、二枚目の用紙の左右方向の一方の端縁と一枚目の用紙の左右方向の一方の端縁を揃えて重ね合わせ非接着部を有するように接着され、二枚目の用紙の非接着部に設けられた割引券、ラベル、クーポン券、籤等を切り取って使用できる構成を備えたチラシに関する。
【背景技術】
【０００２】
従来、割引券、ラベル、クーポン券、籤等が切り取り可能に形成されたチラシとしては、一枚または複数枚の冊子からなるチラシの一部分が割引券、ラベル、クーポン券、籤等とされて切り取り可能に形成された構成が広く知られている（例えば、特許文献１参照）。
【０００３】
しかしながら、上記のチラシは、チラシの一部分が割引券、ラベル、クーポン券、籤等とされているためにこれらを切り取ってしまうとその部分が欠落した状態となり体裁が悪いという問題がある。また、割引券、ラベル、クーポン券、籤等の用紙の厚みを厚くしたい場合、チラシ自体の用紙の厚みを厚くしなければならず、原価が割高になるという問題がある。
【先行技術文献】
【特許文献】
【０００４】
【特許文献１】特開２００３−２３７２５６号公報
【発明の概要】
【発明が解決しようとする課題】
【０００５】
そこで本発明は、一枚目の用紙と、一枚目の用紙より上下寸法及び左右寸法が小さい二枚目の用紙と、からなり、二枚目の用紙に切り取り可能領域を設けることにより上記問題を解決したものであり、その目的とするところは切り取り可能領域を切り取った後、体裁がよく、さらに原価アップを少なくできるチラシを提供することにある。
【課題を解決するための手段】
【０００６】
本発明は、上記課題を達成するために、請求項１記載の本発明は、一枚目の用紙と、前記一枚目の用紙より上下寸法及び左右寸法が小さい二枚目の用紙を、前記二枚目の用紙の左右方向の端縁のうちの一方の端縁と前記一枚目の用紙の左右方向の端縁のうちの一方の端縁を揃えて重ね合わせ非接着部を有するように接着される構成のチラシであって、前記二枚目の用紙には、上下方向の両端縁、または左右方向の他方の端縁のいずれかに始点と終点を有する開いた形状の切り取り線が形成され、前記始点及び前記終点を有する端縁と前記切り取り線で囲まれた部分が切り取り可能領域とされており、少なくとも前記切り取り可能領域及び前記切り取り線が前記非接着部に形成されている、ことを特徴とするチラシである。
【０００７】
また、請求項２記載の本発明は、一枚目の用紙と、前記一枚目の用紙より上下寸法及び左右寸法が小さい二枚目の用紙を、前記二枚目の用紙の左右方向の端縁のうちの一方の端縁と前記一枚目の用紙の左右方向の端縁のうちの一方の端縁を揃えて重ね合わせ非接着部を有するように接着される構成のチラシであって、 前記二枚目の用紙には、上下方向の両端縁、または左右方向の他方の端縁のいずれかに始点と終点を有する開いた形状の切り取り線が形成され、前記始点及び前記終点を有する端縁と前記切り取り線で囲まれた部分が切り取り可能領域とされており、 前記切り取り線は、前記始点から、前記始点及び前記終点を有する端縁と直交して前記始点及び前記終点を有する端縁と離間する向きに伸びる第１の切り込み線と、前記第１の切り込み線の終端から、前記始点及び前記終点を有する端縁と平行して前記一方の端縁に向かって伸びる第２の切り込み線と、前記第２の切り込み線の終端から前記終点まで伸びる第３の切り込み線を備えており、さらに、前記二枚目の用紙には、前記始点及び前記終点との間の端縁の前記始点近傍の位置から、前記切り取り線の備える前記第２の切り込み線に向かって伸びる第４の切り込み線が形成されており、少なくとも前記切り取り可能領域及び前記切り取り線が前記非接着部に形成されている、ことを特徴とするものである。
【０００８】
また、請求項３記載の本発明は、請求項１または請求項２に記載のチラシを積み重ねたものと帯封から構成されているチラシの帯封梱包物であって、前記二枚目の用紙の長手方向に帯が跨るように帯封を備えることを特徴とするチラシの帯封梱包物である。
【発明の効果】
【０００９】
本発明のチラシは、一枚目の用紙と、前記一枚目の用紙より上下寸法及び左右寸法が小さい二枚目の用紙を、前記二枚目の用紙の左右方向の端縁のうちの一方の端縁と前記一枚目の用紙の左右方向の端縁のうちの一方の端縁を揃えて重ね合わせ非接着部を有するように接着される構成のチラシであって、前記二枚目の用紙には、上下方向の両端縁、または左右方向の他方の端縁のいずれかに始点と終点を有する開いた形状の切り取り線が形成され、前記始点及び前記終点を有する端縁と前記切り取り線で囲まれた部分が切り取り可能領域とされており、少なくとも前記切り取り可能領域及び前記切り取り線が前記非接着部に形成されている構成としたので、切り取り可能領域を切り取った後もその部分には一枚目の用紙が存在するので見た目に欠落のないチラシとでき、体裁がよい。
【００１０】
さらに、一枚目の用紙の切り取り可能領域に対応する部分（非接着部）に予め絵柄・図形・記号・文字等を印刷しておくことにより二枚目の用紙の切り取り可能な領域を切り取った後、一枚目の用紙に印刷された絵柄・図形・記号・文字等が露出するので見た目に綺麗で体裁がよい。
【００１１】
また、切り取り可能領域の二枚目の用紙の始点と終点を有する端縁は一枚目の用紙と接着していないので当該端縁より指を挿入することができ、切り取り線に沿って、切り取り可能領域を簡単に切り取ることができる。
【図面の簡単な説明】
【００１２】
【図１】本発明のチラシの一実施形態を示す平面図である。
【図２】図１の断面図であって、（イ）はＸ−Ｘ線断面図、（ロ）はＹ−Ｙ線断面図である。
【図３】本発明のチラシの切り取り方法を説明する平面図である。
【発明を実施するための形態】
【００１３】
上記の本発明について、図面等を用いて以下に詳述する。
図１は本発明のチラシの一実施形態を示す平面図、図２は図１の断面図であって、（イ）はＸ−Ｘ線断面図、（ロ）はＹ−Ｙ線断面図、図３は本発明のチラシの切り取り方法を説明する平面図であり、図中の１はチラシ、１０は一枚目の用紙、１０ｒは一枚目の用紙の左右方向の一方の端縁、１０ｌは一枚目の用紙の左右方向の他方の端縁、２０は二枚目の用紙、２１は切り取り線、２１ａはくの字状切り込みからなる切り込み線、２１ｂは直線状切り込みからなる切り込み線、２１ｃは曲線状切り込みからなる切り込み線、２２は始点、２３は終点、２４は切り欠き、２５は切り込み線、２０ｒは二枚目の用紙の左右方向の一方の端縁、２０ｌは二枚目の用紙の左右方向の他方の端縁、２０ｕは二枚目の用紙の上下方向の上端縁、２０ｄは二枚目の用紙の上下方向の下端縁、３０は接着部、４０は切り取り可能領域、４１はラベル、５０１、５０２は印刷層、６０は非接着部をそれぞれ示す。
【００１４】
図１に示すように本発明のチラシ１は、一枚目の用紙１０と、一枚目の用紙１０より上下寸法及び左右寸法が小さい二枚目の用紙２０を、二枚目の用紙の左右方向の端縁のうちの一方の端縁２０ｒと一枚目の用紙１０の左右方向の端縁のうちの一方の端縁１０ｒを揃えて重ね合わせ非接着部を有するように接着される構成である。図１では一枚目の用紙１０と二枚目の用紙２０は上下方向の中央で重ねているが、位置は任意であり、二枚目の用紙の上下方向の上端縁２０ｕと一枚目の用紙１０の上端縁を揃えてもよく、または二枚目の用紙の上下方向の下端縁２０ｄと一枚目の用紙１０の下端縁を揃えてもよい。
【００１５】
また、二枚目の用紙２０には、上下方向の下端縁２０ｄに始点２２及び終点２３を有する開いた形状の切り取り線２１が形成され、二枚目の用紙の上下方向の下端縁２０ｄと切り取り線２１で囲まれた部分が先端が丸い弾丸形状となっている。
前記先端が丸い弾丸形状の始点２２及び終点２３を有する下端縁２０ｄと切り取り線２１で囲まれた領域が切り取り可能領域４０とされており、図２に示すように切り取り可能領域４０以外の領域が接着部３０となっており、二枚目の用紙２０と一枚目の用紙１０が接着剤で接着されている。少なくとも切り取り可能領域４０及び切り取り線２１は非接着部に形成されている。切り取り線２１は図１に示した位置に限定されるものではなく、二枚目の用紙の上下方向の上端縁２０ｕ、二枚目の用紙の上下方向の下端縁２０ｄ、または二枚目の用紙の左右方向の他方の端縁２０ｌのいずれかに始点２２と終点２３を有する開いた形状の切り取り線２１を形成し、始点及び終点を有するいずれかの端縁と切り取り線２１で囲まれた部分を切り取り可能領域４０とすることもできる。切り取り可能領域４０の形状は目的に応じて適宜決められるものである。
【００１６】
二枚目の用紙２０に形成された切り取り線２１は、複数のくの字状切り込みからなる切り込み線２１ａが二枚目の用紙の上下方向の下端縁２０ｄに平行に形成され、その左端は二枚目の用紙の左右方向の他方の端縁２０ｌに平行に形成された直線状切り込みからなる切り込み線２１ｂで始点２２と連結し、その右端は二枚目の用紙の左右方向の一方の端縁２０ｒと対向する曲線状切り込みからなる切り込み線２１ｃで終点２３と連結している。直線状切り込みからなる切り込み線２１ｂ及び曲線状切り込みからなる切り込み線２１ｃにおいて、直線状切り込み同志及び曲線状切り込み同志の間には歯止めが形成されている。また、二枚目の用紙２０には始点２２を含む直線状切り込みからなる切り込み線２１ｂと隣接して三角形状の切り欠き２４が設けられ、さらに始点２２と終点２３との間の下端縁２０ｄの始点２２近傍の位置からくの字状切り込みからなる切り込み線２１ａに向かって二枚目の用紙の左右方向の他方の端縁２０ｌに平行に伸びる切り込み線２５が設けられている。切り取り線２１は切り取り可能領域４０が切り取れる形状であればよく、ミシン目でもよい。また、切り欠き２４は切り取り開始がスムーズになるので設けた方が好ましい。
【００１７】
通常、一枚目の用紙１０の片面または両面には目的・用途に応じて例えば商品の広告、商品の特徴、商品の使用説明、キャンペーン情報等が絵柄・図形・記号・文字等により印刷され印刷層５０１が形成される。また、二枚目の用紙２０の表面にも同様の印刷層５０２が形成される。また、切り取り可能領域４０の開封案内も印刷されている。一枚目の用紙１０に形成された印刷層５０１及び二枚目の用紙２０に形成された印刷層５０２は同期していることが好ましく、大きさの異なる一枚目の用紙１０と二枚目の用紙２０の２枚の用紙が重ねられたチラシであっても、顧客に違和感を与えることがなく、チラシ１が恰も一枚の用紙で作製されているような錯覚を与えるものとなる。二枚目の用紙２０の切り取り可能領域４０には目的に応じて例えば顧客への優待情報や籤等の絵柄・文字・記号等が片面または両面に印刷されている。図１には籤であって、両面に印刷された例を示した。
【００１８】
図２は図１の断面図であって、（イ）はＸ−Ｘ線断面図、（ロ）はＹ−Ｙ線断面図である。図２に示すように、一枚目の用紙１０と、一枚目の用紙１０より上下寸法及び左右寸法が小さい二枚目の用紙２０が、二枚目の用紙の左右方向の端縁のうちの一方の端縁２０ｒと一枚目の用紙の左右方向の端縁のうちの一方の端縁１０ｒを揃えて重ね合わせ接着部３０で接着されている。接着部３０は図示しないがコの字状に形成されており、コの字状の接着部３０で囲まれた領域は一枚目の用紙１０と二枚目の用紙２０が接着されていない非接着部６０とされている。切り取り線２１は非接着部６０の周縁に沿って非接着部６０に形成され、始点２２及び終点２３を有する二枚目の用紙の上下方向の下端縁２０ｄと切り取り線２１で囲まれた部分が切り取り可能領域４０とされている。
【００１９】
また、二枚目の用紙２０は、一枚目の用紙１０より用紙厚みが厚くされている。したがって、二枚目の用紙２０を切り取り線２１に沿って切り取り可能領域４０が切り取られてラベル４１（図３参照）となり、ラベル４１は質感があり、ハンドリングが便利なものとなり、切り取る際、皺も入りにくいので綺麗な状態で切り取ることができる。また、厚くした二枚目の用紙２０は用途に応じて面積を小さくできるので原価アップを抑えることができる。なお、二枚目の用紙２０の大きさは用途・目的等により適宜設定される。
【００２０】
つぎに図１〜図３を参照しながら本発明のチラシ１の使用方法の一例を説明する。
図３に示すようにチラシ１を受け取った顧客はチラシ１に記載された情報を読むと共に二枚目の用紙２０に記載された開封案内に従い、二枚目の用紙の上下方向の下端縁２０ｄの始点２２及び終点２３の非接着部６０側から始点２２またはその近傍を指で摘まみ、切り欠き２４より切り取り可能領域４０を切り取り線２１に沿って切り取る。切り欠き２４を設けない場合は始点２２より、切り取る。切り取り可能領域４０は従来の構成とは異なり、二枚目の用紙の上下方向の下端縁２０ｄの始点２２及び終点２３の間は非接着で開放されているので指が入りやすく切り取り可能領域４０を簡単に摘まむことができる。切り取られたラベル４１の裏面、一枚目の用紙１０の切り取り可能領域４０と対面する領域、またはその両方に印刷された情報を顧客は読み取ることができる。図３には籤情報を例示したが、これに限定されるものではない。ラベル４１として使用されるものでもよい。
【００２１】
一枚目１０の用紙及び二枚目の用紙２０には上質紙、コート紙、ノンコート紙等のチラシに使用される用紙が使用できる。一枚目の用紙１０の坪量としては、通常６４．０ｇ／ｍ2 〜１０４．７ｇ／ｍ2 である。二枚目の用紙２０は一枚目の用紙１０より用紙厚みが厚いものが使用され、坪量としては１２７．９ｇ／ｍ2 〜１５７．０ｇ／ｍ2 である。
【００２２】
本発明のチラシ１の製造方法は、図示はしないが一枚目の用紙１０に印刷層５０１、二枚目の用紙２０には印刷層５０２がそれぞれの用紙毎に施される。そして、一枚目の用紙１０は、印刷の製造時においては、図１のシートが上下方向にそれぞれ連続したロールで、かつ、左右方向の両端縁には、移送孔を有するマージナル部が設けられている。二枚目の用紙２０は、印刷等の製造時においては、図１のシートが上下方向にそれぞれ連続したロールで、かつ、左右方向の一方の端縁には、移送孔を有するマージナル部が設けられ、この移送孔でロールが連続的に送られるようになっている。また、切り欠き２４を設ける場合、印刷とインラインで形成される。
【００２３】
印刷後、図示しないが一枚目の用紙１０の上に二枚目の用紙２０が所定位置に重なるようにそれぞれのロールが配置され、それぞれの移送孔が丁合機のトラクタピンと係合し、一枚目の用紙１０の二枚目の用紙２０が重ねられる側の面に所定の接着部パターンが形成された樹脂版を用いてエマルジョン接着剤等を所定位置にパターンコートされる。一方、二枚目の用紙２０はロールを巻き戻しながら所定の大きさにシートカットされ、シートカットされたシートを吸盤を備えたロールで吸着し、一枚目の用紙１０に形成された接着部に合わせてシートカットされたシートを吸盤から脱着し、一枚目の用紙１０と二枚目の用紙２０を正確に位置合せし接着される。なお、二枚目の用紙２０の一方の端縁側は所定寸法よりやや大きくされており、後に一枚目の用紙１０と同時に位置を合わせてスリットされる。
つぎに二枚目の用紙２０に所定の形状を備えた切刃でジッパー加工を施し、二枚目の用紙２０を貫通する切り取り線２１を施す。その後、二枚目の用紙の一方の端縁と一枚目の一方の端側のマージナル部が所定位置でスリットして取り除かれると共に一枚目の用紙の他方の端側のマージナル部を所定位置でスリットし取り除かれる。そして、図１における上下方向が所定寸法に裁断されて図１に示すようなチラシ１を得ることができる。
【００２４】
所定寸法に裁断されたチラシ１は所定枚数を積み重ねて端縁を揃えて帯封梱包される。この際、二枚目の用紙の長手方向に帯が跨るようにして帯封をすることが重要である。このように帯封してチラシ１０を結束することにより、多くの枚数、例えば２００枚単位で梱包しても荷崩れすることがない。
【実施例】
【００２５】
〔実施例１〕
一枚目の用紙１０に坪量８１．５ｇ／ｍ2 （７０ｋｇ／四六判）の上質紙を用い、表面及び裏面の両面にオフセット印刷方式により絵柄・文字等を印刷して印刷層５０１を形成した。なお、二枚目の用紙２０が重ねられる所定位置において、接着部３０となる部分には印刷層５０１を抜き、重ねられる二枚目の用紙２０より少し小さい空白部を設けた。
二枚目の用紙２０に坪量１５７．０ｇ／ｍ2 （１３５ｋｇ／四六判）の上質紙を用い、表面にオフセット印刷方式により印刷層５０２を形成した。二枚目の用紙２０の印刷層５０２は一枚目の用紙１０の印刷層５０１と同期させ一枚目の用紙１０に設けた空白部周辺の絵柄・文字等に同調するように設けると共に所定位置に切り欠き２４を設けた。
【００２６】
印刷後、一枚目の用紙１０の二枚目の用紙２０が重ねられる表面の上記空白部に非接着部と接着部がパターン形成された樹脂版を用いて酢酸ビニル系エマルジョン接着剤をパターンコートし接着部３０を形成した。
二枚目の用紙２０は一枚目の用紙１０より上下寸法及び左右寸法小さくした所定の大きさにシートカットし、シートカットされたシートを一枚目の用紙１０の形成された接着部３０に位置合わせして重ね、一枚目の用紙１０と二枚目の用紙２０を正確に位置合せし接着した。なお、二枚目の用紙２０の一方の端縁側は所定寸法よりやや大きくした。
【００２７】
つぎに二枚目の用紙２０に所定の形状を備えた切刃でジッパー加工を施し、二枚目の用紙２０を貫通する切り取り線２１を非接着部６０に形成した。その後、二枚目の用紙２０の一方の端縁と一枚目の用紙１０の一方の端側を所定位置でスリットして端縁を揃えると共に一枚目の用紙の他方の端側を所定位置でスリットし取り除き、図１における上下方向を所定寸法に裁断して図１に示すチラシ１を作製した。一枚目の用紙１０の仕上寸法はＡ４サイズ（上下；２９７ｍｍ、左右；２１０ｍｍ）、二枚目の用紙２０の仕上寸法は上下；６０ｍｍ、左右；１６５ｍｍとした。切り取り可能な領域４０の仕上寸法は上下；２４ｍｍ、左右；６８ｍｍとなるように切り取り線２１を設けた。切り取り線２１は図１に示す形状とし、先端が丸い弾丸形状の切り取り可能な領域４０とした。
【符号の説明】
【００２８】
１                チラシ
１０              一枚目の用紙
１０ｒ            一枚目の用紙の左右方向の一方の端縁
１０ｌ            一枚目の用紙の左右方向の他方の端縁
２０              二枚目の用紙
２１              切り取り線
２１ａ            くの字状切り込みからなる切り込み線
２１ｂ            直線状切り込みからなる切り込み線
２１ｃ            曲線状切り込みからなる切り込み線
２２              始点
２３              終点
２４              切り欠き
２５              切り込み線
２０ｒ            二枚目の用紙の左右方向の一方の端縁
２０ｌ            二枚目の用紙の左右方向の他方の端縁
２０ｕ            二枚目の用紙の上下方向の上端縁
２０ｄ            二枚目の用紙の上下方向の下端縁
３０              接着部
４０              切り取り可能領域
４１              ラベル
５０１、５０２    印刷層
６０              非接着部
【図１】
0006388198.tif 000002
【図２】
0006388198.tif 000003
【図３】
0006388198.tif 000004